(57)【要約】 【課題】  挿入時の姿勢を誘引するための機械的特長を備える事によって適切な姿勢を保ちながら嵌合することができるコネクタ端子の嵌合構造及びそのコネクタ端子の嵌合構造を有する携帯端末装置を提供する。 【構成】電気部品が実装されるとともにヘッダ側コネクタ２が付設されたフレキシブル基板と、ソケット側コネクタ３が付設されたプリント基板とを電気的接続する前記ヘッダ側コネクタ２及びソケット側コネクタ３の嵌合構造１において、前記ヘッダ側コネクタ２に極性との関係で特定されるプレート４を設け、前記ソケット側コネクタ３に前記プレー４トを誘導するプレート溝５を設けたことにより、ヘッダ側コネクタ２が嵌合方向に対し直交する方向に大きくずれていても、プレート４がプレート溝位置に導かれる。この状態でソケット側コネクタ３にヘッダ側コネクタ２を押し込むと両者は容易に嵌合される。 【選択図】 図１
2008159285.tif 000002
【特許請求の範囲】
【請求項１】
電気部品が実装されるとともにヘッダ側コネクタが付設されたフレキシブル基板と、ソケット側コネクタが付設されたプリント基板とを電気的接続する前記ヘッダ側コネクタ及びソケット側コネクタの嵌合構造において、前記ヘッダ側コネクタに極性との関係で特定されるプレートを設け、前記ソケット側コネクタに前記プレートを誘導するプレート溝を設けたことを特徴とするコネクタ端子の嵌合構造。 
【請求項２】
電気部品が実装されるとともにヘッダ側コネクタが付設されたフレキシブル基板と、ソケット側コネクタが付設されたプリント基板とを電気的接続する前記ヘッダ側コネクタ及びソケット側コネクタの嵌合構造を有する携帯端末装置において、前記ヘッダ側コネクタに極性との関係で特定されるプレートを設け、前記ソケット側コネクタに前記プレートを誘導するプレート溝を設けたことを特徴とするコネクタ端子の嵌合構造を有する携帯端末装置。 
【発明の詳細な説明】
【技術分野】
【０００１】
本発明は、携帯電話機、ＰＨＳ（Personal Handyphone System）、ＰＤＡ（Personal Data Assistance，Personal Digital Assistants：個人向け携帯型情報通信機器）等の携帯端末装置であってコネクタを有する装置に用いられるコネクタ端子の嵌合構造及びそのコネクタ端子の嵌合構造を有する携帯端末装置に関し、嵌合(かんごう)時の斜め挿し時に生ずる端子の座屈に対して、挿入時の姿勢を誘引するための機械的特長を備えたコネクタ端子の嵌合構造及びそのコネクタ端子の嵌合構造を有する携帯端末装置に関する。 
【背景技術】
【０００２】
近年、携帯電話機、ＰＨＳ（Personal Handyphone System）、ＰＤＡ（Personal Data Assistance，Personal Digital Assistants：個人向け携帯型情報通信機器）等の携帯端末装置の多くは、小型化が推し進められるとともに多機能化が求められ、装置の中枢を成すフレキシブル基板への電気部品の実装はより高密度化が図られている。また、フレキシブル基板間の接続にはコネクタを用いているが、他のフレキシブル基板とのインターフェイス量が増大するにしたがい、フレキシブル基板に実装されているインターフェイス用コネクタの端子数が増える傾向が生じている。 
【０００３】
係るコネクタは図５に示すように、ヘッダ側（オス側）コネクタ２とソケット側（メス側）コネクタ３の端子１ａが一対となり、端子１ａ方向に垂直に嵌合されることにより電気的接続を成す。携帯端末装置の軽薄短小化に伴い端子１ａおよびコネクタ２，３本体もそれに追随し、脆弱な強度となってしまっている。携帯端末装置の製造工場においては、昨今のセル生産方式の導入により治具を用いない手作業での組立加工が求められている。つまり端子１ａ方向に垂直に嵌合する作業自体が、多くの作業者個人のスキルに委ねられている。 
【０００４】
しかし、ヘッダ側コネクタ２とソケット側コネクタ３の嵌合時にはコネクタの位置や姿勢を確認できない結果、ヘッダ側コネクタ２とソケット側コネクタ３の相対姿勢を保つことができないままに挿入が行われ、端の端子を座屈させてしまう可能性が高い。 
【０００５】
また、抜去時にも姿勢を保つことが難しく、同様に座屈させてしまう可能性が高い。 
特にコネクタ嵌合時には、斜めに挿入してしまうことで、端の端子を座屈させてしまい接続不良となる事故が発生している。 
【０００６】
このような問題に関し、特許文献１にはコネクタの大型化、大幅な形状変更、構成の複雑化を招くことなく、適正かつ円滑な嵌合を実現できるコネクタ端子の嵌合構造を提供するという目的で、第１のコネクタ端子（パッケージコネクタ４）に差し込み具１２を設け、第２のコネクタ端子（ＢＷＢコネクタ３）に前記差し込み具（１２）を誘導する傾斜面（５ａ，５ｂ，６ａ，６ｂ）とこの傾斜面に連続する前記差し込み具受け入れ用切り溝（５ｃ，６ｃ）を設け、第２のコネクタ端子（３）に嵌合する第１のコネクタ端子（４）が嵌合方向に対し直交する方向に大きくずれていても容易に嵌合させることができるようにしたコネクタ端子の嵌合構造がその図１に示されている。 
【特許文献１】特開平０９−２５９９７６号公報
【発明の開示】
【発明が解決しようとする課題】
【０００７】
しかし以上の特許文献１に記載されたコネクタ端子の嵌合構造にあっても、昨今のセル生産方式の導入により治具を用いない手作業での組立加工に生じうる誤作業の防止のための十分な配慮が行われたものではない。 
【０００８】
本発明は以上の従来技術における問題に鑑み、コネクタの大型化、大幅な形状変更、構成の複雑化を招くことなく、挿入時の姿勢を誘引するための機械的特長を備える事によって適切な姿勢を保ちながら嵌合することができ、特に手作業での生産性の向上を図ることができるコネクタ端子の嵌合構造及びそのコネクタ端子の嵌合構造を有する携帯端末装置を提供することを目的とする。 
【課題を解決するための手段】
【０００９】
本発明のコネクタ端子の嵌合構造は前記課題を解決すべく提案されるもので、電気部品が実装されるとともにヘッダ側コネクタが付設されたフレキシブル基板と、ソケット側コネクタが付設されたプリント基板とを電気的接続する前記ヘッダ側コネクタ及びソケット側コネクタの嵌合構造において、前記ヘッダ側コネクタに極性との関係で特定されるプレートを設け、前記ソケット側コネクタに前記プレートを誘導するプレート溝を設けたことを特徴とする。 
【００１０】
このように構成したことにより、ヘッダ側コネクタが嵌合方向に対し直交する方向に大きくずれていても、プレートがプレート溝位置に導かれる。この状態でソケット側コネクタにヘッダ側コネクタを押し込むと両者は容易に嵌合される。 
【００１１】
しかも、前記プレートは極性との関係で特定されるプレートであることから、ヘッダ側コネクタとソケット側コネクタ相互を誤った方向で嵌合するという単純な間違いを防止することができる。 
【００１２】
この極性との関係で特定されるプレートは、挿入時の姿勢を誘引するための機械的特長であるプレートを例えばコネクタ左右非対称の位置に備えることによって設けることができる。 
【００１３】
さらに本発明のコネクタ端子の嵌合構造を有する携帯端末装置は、電気部品が実装されるとともにヘッダ側コネクタが付設されたフレキシブル基板と、ソケット側コネクタが付設されたプリント基板とを電気的接続する前記ヘッダ側コネクタ及びソケット側コネクタの嵌合構造を有する携帯端末装置において、前記ヘッダ側コネクタに極性との関係で特定されるプレートを設け、前記ソケット側コネクタに前記プレートを誘導するプレート溝を設けたことを特徴とする。 
【発明の効果】
【００１４】
以上の本発明の嵌合時の斜め挿し時に生ずる端子の座屈に対して、挿入時の姿勢を誘引するための機械的特長を備えたことにより斜め挿しができなくなっており、端子を座屈させてしまうことがない。また、プレートによって嵌合後の機械的強度にも優れ、こじりなどに対して強い。 
【発明を実施するための最良の形態】
【００１５】
以下、図面を参照しながら本発明の実施の形態のコネクタにつき説明する。 
図１及び図２は基板上にはんだ付けされたコネクタ同士を嵌合するボート to フレキシブル基板タイプのコネクタ構造における本発明実施の形態のコネクタ構造１の要部を表したものである。 
本実施例のコネクタ構造１は、ヘッダ側コネクタ２とソケット側コネクタ３とより構成され、ヘッダ側コネクタ２とソケット側コネクタ３が嵌合することで機械的接続を、また各々の端子が接触することで電気的接続を得ることができる。 
ヘッダ側コネクタ２の両端にプレート４が埋め込まれ、このプレート４は各々のコネクタ端子１ａより張り出している。 
ソケット側コネクタ３の両端にはプレート４を通すプレート溝５が設けられ、プレート溝５の入り口にはテーパー状の誘導部６が形成されている。 
以上の本実施例のコネクタ構造１によれば、ヘッダ側コネクタ２とソケット側コネクタ３相互の嵌合位置が定まっていない場合には各々のコネクタ端子１ａより張り出しているプレート４によってヘッダ側コネクタ２のソケット側コネクタ３に対する挿入が阻止される。 
【００１６】
以上の本実施例のコネクタ構造１は、プレート溝５の入り口にはテーパー状の誘導部６がヘッダ側コネクタ２とソケット側コネクタ３の挿入開始位置まで誘引する機能および挿入開始から挿入終了までの姿勢が斜めにならない様に姿勢を保つ機能を短手方向に備えている。 
【００１７】
さらにヘッダ側コネクタ２とソケット側コネクタ３各々のコネクタ端子１ａより張り出しているプレート４は極性に対応して左右非対称の位置に設けられており、極性との関係で逆指しができないようになっており、誤った方向での嵌合を防止することができ、組み立て作業者の単純ミスを防止することができる。 
【００１８】
図３に示した実施例のコネクタ構造１は、挿入時の姿勢を誘引するための機械的特長であるプレート４ａ及びプレート４ａを通すプレート溝５ａ及びプレート溝５ａの入り口のテーパー状の誘導部６ａが長手方向に形成されている。 
【００１９】
図４に示した実施例のコネクタ構造１は、挿入時の姿勢を誘引するための機械的特長であるプレート４ｂ及びプレート４ｂを通すプレート溝５ｂ及びプレート溝５ｂの入り口のテーパー状の誘導部６ｂが長手方向と短手方向の形成されていることを特徴としている。 
【図面の簡単な説明】
【００２０】
【図１】本発明の実施の形態にかかるコネクタの嵌合構造を示した斜視図である。
【図２】本発明の実施の形態にかかるコネクタの嵌合構造を断面で示した説明図である。
【図３】本発明の他の実施の形態にかかるコネクタの嵌合構造を断面で示した説明図である。
【図４】本発明のさらに他の実施の形態にかかるコネクタの嵌合構造を断面で示した説明図である。
【図５】従来のコネクタの嵌合構造を断面で示した説明図である。
【符号の説明】
【００２１】
１・・・コネクタ構造、１ａ・・・コネクタ端子、２・・・ヘッダ側コネクタ、３・・・ソケット側コネクタ、４・・・プレート、５・・・プレート溝。 
【図１】
2008159285.tif 000003
【図２】
2008159285.tif 000004
【図３】
2008159285.tif 000005
【図４】
2008159285.tif 000006
【図５】
2008159285.tif 000007